(57)【要約】  【課題】  ポーズ時において光ピックアップからのレーザ光の重畳パルスにより書き換え可能な光ディスクの記録層が破壊されるのを軽減することができる光ディスク装置を提供する。  【解決手段】  光ディスクを挿入した後にポーズ状態になり、ポーズ状態が所定時間経過したと判定されると、トラッキングサーボがオフされる。また、再生を開始した後にポーズ操作を受けてポーズ状態になり、ポーズ状態が所定時間経過したと判定されると、トラッキングサーボがオフされる。トラッキングサーボのオフにより、光ピックアップの目的トラックへの追従動作が停止し、レーザ光がランダムに光ディスク上を照射し、光ディスク上のある一定のトラックのアドレスにレーザ光が照射される頻度が低下する。したがって、レーザ光の重畳パルスによる書き換え可能な光ディスクの記録層の破壊を軽減できる。【選択図】      図２
2006216120.tif 000002
【特許請求の範囲】
【請求項１】
光ディスクに対して情報の読み出し、または書き込み／読み出しを光学的に行う光ピッ
クアップを有し、光ディスクに対して情報の再生、または記録／再生を行う光ディスク装
置において、光ディスクを挿入した後にポーズ状態になり、または再生を開始した後にポ
ーズ操作を受けてポーズ状態になり、このポーズ状態が所定時間経過したか否かを判定す
るポーズ状態判定手段と、前記ポーズ操作によりポーズ状態になったときは、このポーズ
状態での前記光ピックアップからのレーザ光が照射される光ディスク上のアドレスのアド
レス情報をメモリに格納するアドレス格納手段と、前記ポーズ状態が所定時間経過したと
いうことが前記ポーズ状態判定手段により判定された場合に光ピックアップに対するトラ
ッキングサーボをオフさせるトラッキングサーボオフ手段と、前記トラッキングサーボが
オフしている場合に、再生操作による再生命令を受けたときに前記トラッキングサーボを
オンさせるトラッキングサーボオン手段と、光ディスクを挿入した後のポーズ状態である
場合で、前記トラッキングサーボオン手段によりトラッキングサーボがオンされた後は、
再生操作により指定されたアドレス情報に基づいて前記光ピックアップをシーク動作させ
、また、再生を開始した後のポーズ状態である場合で、前記トラッキングサーボオン手段
によりトラッキングサーボがオンされた後は、前記メモリに格納されたアドレス情報に基
づいて前記光ピックアップをシーク動作させるシーク手段と、前記シーク動作によりシー
クされたアドレスから再生を開始させる再生開始手段とを有するシステムコントローラを
備えたことを特徴とする光ディスク装置。
【請求項２】
光ディスクに対して情報の読み出し、または書き込み／読み出しを光学的に行う光ピッ
クアップを有し、光ディスクに対して情報の再生、または記録／再生を行う光ディスク装
置において、光ディスクを挿入した後にポーズ状態になり、または再生を開始した後にポ
ーズ操作を受けてポーズ状態になり、このポーズ状態が所定時間経過したとき、前記光ピ
ックアップに対するトラッキングサーボをオフさせるシステムコントローラを備えたこと
を特徴とする光ディスク装置。
【請求項３】
前記システムコントローラは、光ディスクを挿入した後にポーズ状態になり、または再
生を開始した後にポーズ操作を受けてポーズ状態になり、このポーズ状態が所定時間経過
したか否かを判定するポーズ状態判定手段と、前記ポーズ状態が所定時間経過したという
ことが前記ポーズ状態判定手段により判定された場合に光ピックアップに対するトラッキ
ングサーボをオフさせるトラッキングサーボオフ手段と有することを特徴とする請求項２
に記載の光ディスク装置。
【請求項４】
前記システムコントローラは、光ディスクを挿入した後にポーズ状態になり、または再
生を開始した後にポーズ操作を受けてポーズ状態になり、このポーズ状態が所定時間経過
したか否かを判定するポーズ状態判定手段と、前記ポーズ操作によりポーズ状態になった
ときは、このポーズ状態での前記光ピックアップからのレーザ光が照射される光ディスク
上のアドレスのアドレス情報をメモリに格納するアドレス格納手段と、前記ポーズ状態が
所定時間経過したということが前記ポーズ状態判定手段により判定された場合に光ピック
アップに対するトラッキングサーボをオフさせるトラッキングサーボオフ手段と、前記ト
ラッキングサーボがオフしている場合に、再生操作による再生命令を受けたときに前記ト
ラッキングサーボをオンさせるトラッキングサーボオン手段と、光ディスクを挿入した後
のポーズ状態である場合で、前記トラッキングサーボオン手段によりトラッキングサーボ
がオンされた後は、再生操作により指定されたアドレス情報に基づいて前記光ピックアッ
プをシーク動作させ、また、再生を開始した後のポーズ状態である場合で、前記トラッキ
ングサーボオン手段によりトラッキングサーボがオンされた後は、前記メモリに格納され
たアドレス情報に基づいて前記光ピックアップをシーク動作させるシーク手段と、前記シ
ーク動作によりシークされたアドレスから再生を開始させる再生開始手段とを有すること
を特徴とする請求項２に記載の光ディスク装置。
【発明の詳細な説明】
【技術分野】
【０００１】
本発明は、光ディスクに対して情報の再生、または記録／再生を行う光ディスク装置に
関し、特に、ポーズ状態において光ピックアップに対するトラッキングサーボを制御する
機能を有する光ディスク装置に関する。
【背景技術】
【０００２】
ＤＶＤ（デジタル・バーサタイル・ディスク）などの光ディスクに対して情報の再生、
または記録／再生を行う光ディスク装置では、再生時には、光ピックアップから出射され
るレーザ光を光ディスク上のトラックに照射し、光ディスクからの反射光を受光して情報
を再生している。これらの光ディスクは、ディスクの内側から外側に向けてピット列が渦
巻き状に連続して形成されている。ピット列はある間隔で同期信号で区切られてブロック
分けされており、各ブロックをフレームと呼ばれている。また、１周分のピット列はトラ
ックと呼ばれている。光ディスク装置には、トラッキングサーボ機構が設けられており、
光ディスクのデータ読み出し時には光ピックアップがピット列（トラック）をトレースす
るように光ピックアップの位置を制御している。
【０００３】
ところで、光ディスク装置では、光ディスクを挿入した後や、再生が開始した後にユー
ザがリモコンなどのポーズキーを押下したときに、ポーズ状態にするポーズ機能を有して
いる。このようなポーズ状態になったときは、光ピックアップは、光ディスク上の１トラ
ック〜２トラックのところで同じアドレスに対してレーザ光を繰り返し照射して情報を読
みながら、光ディスクが１周すると、レーザ光の照射位置が前の指定アドレスに戻る。即
ち、従来の光ディスク装置では、ポーズ時には、１〜２トラックのジャンプにて指定アド
レス付近で、リード（読み取り）、トラックジャンプ、リード（読み取り）、トラックジ
ャンプ、リード（読み取り）、トラックジャンプ、リード（読み取り）、・・・の動作を
繰り返している。
【特許文献１】特開平１０−３３４４７８号公報
【特許文献２】特開２００３−１９６８５２号公報
【特許文献３】特開昭６２−１３８３１６号公報
【発明の開示】
【発明が解決しようとする課題】
【０００４】
このように従来の光ディスク装置では、ポーズ時には、１〜２トラックのジャンプにて
指定アドレス付近で、リード（読み取り）、トラックジャンプ、リード（読み取り）、ト
ラックジャンプ、リード（読み取り）、トラックジャンプ、リード（読み取り）、・・・
の動作を繰り返しているが、光ピックアップからは例えば図３に示すようにリードパワー
（読む時のレーザパワー）のレーザ光ａに重畳された重畳パルスｂ（良好な反射光が得ら
れるようにレーザダイオードの特性に合わせてレーザダイオードから出射されるレーザ光
であって、レーザダイオードの発光点がずれるのを補正するためのパルス光）が出射され
ているため、この重畳パルスｂのうち、例えば高いレベルｃのレーザ光が書き換え可能な
光ディスク（ＤＶＤ−ＲＷなど）の同じトラックに何回も繰り返し長時間照射されると、
ディスク記録層が破壊に至る可能性が高くなるという課題があった。
【０００５】
また、従来の光ディスク装置において、ポーズ時には、前記１〜２トラックのジャンプ
の代りに、例えば１００トラックのジャンプを行うようにすることも考えられるが、ポー
ズ時には同じ１００本のトラックにレーザ光の重畳パルスが照射されるため、この場合も
ディスク記録層が破壊に至る可能性が高くなるという課題が生じる。
【０００６】
なお、特許文献１の従来技術では、バックジャンプの周期を一定にし、耐振動特性の向
上を図っているが、光ピックアップからのレーザ光の重畳パルスが書き換え可能な光ディ
スクの同じトラックに何回も繰り返し長時間照射されることによって、ディスク記録層が
破壊されるのを軽減する対策は施されていない。
【０００７】
特許文献２の従来技術では、ディスクの片面に情報記録面が複数層存在する光ディスク
を再生することが可能な光ディスク装置において、ポーズが指示された位置で光ピックア
ップをディスクの内周から外周側に１トラックジャンプしてポーズ動作をするようにして
いるが、この従来技術も、光ピックアップからのレーザ光の重畳パルスが書き換え可能な
光ディスクの同じトラックに何回も繰り返し長時間照射されることによって、ディスク記
録層が破壊されるのを軽減する対策は施されていない。
【０００８】
特許文献３の従来技術では、ポーズ状態の時、ディスク回転が１周で１トラック戻るよ
うにしたり、あるいは１周で１０トラック戻るようにしたりするように構成しているが、
この従来技術も、光ピックアップからのレーザ光の重畳パルスが書き換え可能な光ディス
クの同じトラックに何回も繰り返し長時間照射されることによって、ディスク記録層が破
壊されるのを軽減する対策は施されていない。
【０００９】
本発明は、上記のような課題を解決するためになされたもので、ポーズ時において光ピ
ックアップからのレーザ光の重畳パルスにより書き換え可能な光ディスクの記録層が破壊
されるのを軽減することができる光ディスク装置を提供することを目的とする。
【課題を解決するための手段】
【００１０】
上記目的を達成するために、請求項１の発明は、光ディスクを挿入した後にポーズ状態
になり、または再生を開始した後にポーズ操作を受けてポーズ状態になり、このポーズ状
態が所定時間経過したか否かを判定するポーズ状態判定手段と、前記ポーズ操作によりポ
ーズ状態になったときは、このポーズ状態での前記光ピックアップからのレーザ光が照射
される光ディスク上のアドレスのアドレス情報をメモリに格納するアドレス格納手段と、
前記ポーズ状態が所定時間経過したということが前記ポーズ状態判定手段により判定され
た場合に光ピックアップに対するトラッキングサーボをオフさせるトラッキングサーボオ
フ手段と、前記トラッキングサーボがオフしている場合に、再生操作による再生命令を受
けたときに前記トラッキングサーボをオンさせるトラッキングサーボオン手段と、光ディ
スクを挿入した後のポーズ状態である場合で、前記トラッキングサーボオン手段によりト
ラッキングサーボがオンされた後は、再生操作により指定されたアドレス情報に基づいて
前記光ピックアップをシーク動作させ、また、再生を開始した後のポーズ状態である場合
で、前記トラッキングサーボオン手段によりトラッキングサーボがオンされた後は、前記
メモリに格納されたアドレス情報に基づいて前記光ピックアップをシーク動作させるシー
ク手段と、前記シーク動作によりシークされたアドレスから再生を開始させる再生開始手
段とを有するシステムコントローラを備えたことを特徴とする光ディスク装置を提供する
。
【００１１】
この構成において、光ディスクを挿入した後にポーズ状態になり、ポーズ状態判定手段
により、ポーズ状態が所定時間経過したと判定されると、光ピックアップに対するトラッ
キングサーボがトラッキングサーボオフ手段によりオフされる。そして、トラッキングサ
ーボがオフしている場合に、再生操作による再生命令を受けたときにトラッキングサーボ
がトラッキングサーボオン手段によりオンされる。トラッキングサーボがオンされた後は
、再生操作により指定されたアドレス情報に基づいて光ピックアップがシーク手段により
シーク動作し、シークされたアドレスから再生が再生開始手段により開始される。
【００１２】
また、再生を開始した後にポーズ操作を受けてポーズ状態になり、ポーズ状態判定手段
により、ポーズ状態が所定時間経過したと判定されると、光ピックアップに対するトラッ
キングサーボがトラッキングサーボオフ手段によりオフされる。そして、トラッキングサ
ーボがオフしている場合に、再生操作による再生命令を受けたときにトラッキングサーボ
がトラッキングサーボオン手段によりオンされる。トラッキングサーボがオンされた後は
、ポーズ時にメモリに格納されたアドレス情報に基づいて光ピックアップがシーク手段に
よりシーク動作し、シークされたアドレスから再生が再生開始手段により開始される。
【００１３】
この構成によれば、ポーズ状態が所定時間経過したとき、光ピックアップに対するトラ
ッキングサーボをオフさせるので、光ピックアップからのレーザ光が光ディスク上のトラ
ックをランダムに照射し、これにより、ポーズ時において光ピックアップからのレーザ光
の重畳パルスにより書き換え可能な光ディスクの記録層が破壊されるのを軽減することが
できる。
【００１４】
請求項２の発明は、光ディスクを挿入した後にポーズ状態になり、または再生を開始し
た後にポーズ操作を受けてポーズ状態になり、このポーズ状態が所定時間経過したとき、
光ピックアップに対するトラッキングサーボをオフさせるシステムコントローラを備えた
ことを特徴とする光ディスク装置を提供する。
【００１５】
この構成において、光ディスクを挿入した後にポーズ状態になり、または再生を開始し
た後にポーズ操作を受けてポーズ状態になり、このポーズ状態が所定時間経過したとき、
光ピックアップに対するトラッキングサーボがオフされる。
【００１６】
この構成によれば、ポーズ状態が所定時間経過したとき、光ピックアップに対するトラ
ッキングサーボをオフさせるので、光ピックアップからのレーザ光が光ディスク上のトラ
ックをランダムに照射し、これにより、ポーズ時において光ピックアップからのレーザ光
の重畳パルスにより書き換え可能な光ディスクの記録層が破壊されるのを軽減することが
できる。
【００１７】
請求項３の発明では、請求項２の発明において、前記システムコントローラは、光ディ
スクを挿入した後にポーズ状態になり、または再生を開始した後にポーズ操作を受けてポ
ーズ状態になり、このポーズ状態が所定時間経過したか否かを判定するポーズ状態判定手
段と、前記ポーズ状態が所定時間経過したということが前記ポーズ状態判定手段により判
定された場合に光ピックアップに対するトラッキングサーボをオフさせるトラッキングサ
ーボオフ手段と有するので、ポーズ状態が所定時間経過すると、光ピックアップに対する
トラッキングサーボをオフさせることができる。
【００１８】
請求項４の発明では、前記システムコントローラは、光ディスクを挿入した後にポーズ
状態になり、または再生を開始した後にポーズ操作を受けてポーズ状態になり、このポー
ズ状態が所定時間経過したか否かを判定するポーズ状態判定手段と、前記ポーズ操作によ
りポーズ状態になったときは、このポーズ状態での前記光ピックアップからのレーザ光が
照射される光ディスク上のアドレスのアドレス情報をメモリに格納するアドレス格納手段
と、前記ポーズ状態が所定時間経過したということが前記ポーズ状態判定手段により判定
された場合に光ピックアップに対するトラッキングサーボをオフさせるトラッキングサー
ボオフ手段と、前記トラッキングサーボがオフしている場合に、再生操作による再生命令
を受けたときに前記トラッキングサーボをオンさせるトラッキングサーボオン手段と、光
ディスクを挿入した後のポーズ状態である場合で、前記トラッキングサーボオン手段によ
りトラッキングサーボがオンされた後は、再生操作により指定されたアドレス情報に基づ
いて前記光ピックアップをシーク動作させ、また、再生を開始した後のポーズ状態である
場合で、前記トラッキングサーボオン手段によりトラッキングサーボがオンされた後は、
前記メモリに格納されたアドレス情報に基づいて前記光ピックアップをシーク動作させる
シーク手段と、前記シーク動作によりシークされたアドレスから再生を開始させる再生開
始手段とを有する。
【００１９】
したがって、ポーズ状態が所定時間経過すると、光ピックアップに対するトラッキング
サーボをオフさせることができる。また、光ディスクを挿入した後のポーズ状態である場
合で、トラッキングサーボがオンされた後は、再生操作により指定されたアドレス情報に
基づいて光ピックアップをシーク動作させることができる。また、再生を開始した後のポ
ーズ状態である場合で、トラッキングサーボがオンされた後は、メモリに格納されたアド
レス情報に基づいて光ピックアップをシーク動作させることができる。そして、シークさ
れたアドレスから再生を開始させることができる。
【発明の効果】
【００２０】
以上のように本発明によれば、光ディスクを挿入した後にポーズ状態になり、または再
生を開始した後にポーズ操作を受けてポーズ状態になり、このポーズ状態が所定時間経過
したか否かを判定するポーズ状態判定手段と、前記ポーズ操作によりポーズ状態になった
ときは、このポーズ状態での前記光ピックアップからのレーザ光が照射される光ディスク
上のアドレスのアドレス情報をメモリに格納するアドレス格納手段と、前記ポーズ状態が
所定時間経過したということが前記ポーズ状態判定手段により判定された場合に光ピック
アップに対するトラッキングサーボをオフさせるトラッキングサーボオフ手段と、前記ト
ラッキングサーボがオフしている場合に、再生操作による再生命令を受けたときに前記ト
ラッキングサーボをオンさせるトラッキングサーボオン手段と、光ディスクを挿入した後
のポーズ状態である場合で、前記トラッキングサーボオン手段によりトラッキングサーボ
がオンされた後は、再生操作により指定されたアドレス情報に基づいて前記光ピックアッ
プをシーク動作させ、また、再生を開始した後のポーズ状態である場合で、前記トラッキ
ングサーボオン手段によりトラッキングサーボがオンされた後は、前記メモリに格納され
たアドレス情報に基づいて前記光ピックアップをシーク動作させるシーク手段と、前記シ
ーク動作によりシークされたアドレスから再生を開始させる再生開始手段とを有するシス
テムコントローラを備えたので、ポーズ状態が所定時間経過したとき、光ピックアップに
対するトラッキングサーボをオフさせ、これにより、光ピックアップからのレーザ光が光
ディスク上のトラックをランダムに照射して、光ディスク上のある一定のトラックのアド
レスにレーザ光が照射される頻度が低下し、したがって、ポーズ時において光ピックアッ
プからのレーザ光の重畳パルスにより書き換え可能な光ディスクの記録層が破壊されるの
を軽減することができる。
【００２１】
また、本発明によれば、光ディスクを挿入した後にポーズ状態になり、または再生を開
始した後にポーズ操作を受けてポーズ状態になり、このポーズ状態が所定時間経過したと
き、光ピックアップに対するトラッキングサーボをオフさせるシステムコントローラを備
えたので、ポーズ状態が所定時間経過したとき、光ピックアップに対するトラッキングサ
ーボをオフさせ、これにより、光ピックアップからのレーザ光が光ディスク上のトラック
をランダムに照射して、光ディスク上のある一定のトラックのアドレスにレーザ光が照射
される頻度が低下し、したがって、ポーズ時において光ピックアップからのレーザ光の重
畳パルスにより書き換え可能な光ディスクの記録層が破壊されるのを軽減することができ
る。
【発明を実施するための最良の形態】
【００２２】
以下、添付図面を参照しつつ、本発明の実施の形態について説明する。図１は本発明の
一実施形態に係る光ディスク装置の構成を示すブロック図である。ここでは、記録／再生
を行うＤＶＤレコーダなどの光ディスク装置について説明するが、再生のみを行うＤＶＤ
プレイヤなどの光ディスク装置にも本実施形態の特徴とするポーズ状態における処理を適
用できることは言うまでもない。
【００２３】
この光ディスク装置は、光ディスク１を回転させるスピンドルモータ５と、光ディスク
１に対して情報の書き込み／読み出しを光学的に行う光ピックアップ２と、この光ピック
アップ２を光ディスク１の半径方向に移動させるためのスレッド３と、システムコントロ
ーラ２２の指示に応じてスピンドルモータ５およびスレッド３を駆動すると共に光ピック
アップ２に内蔵された対物レンズ（図示せず）を動かすことによりレーザ光の焦点位置を
光ディスク１の記録面に対して垂直方向および水平方向に移動させる制御を行うサーボ制
御部４とを備えている。
【００２４】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２５】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２６】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２７】
また、この光ディスク装置は、システムコントローラ２２に対して、記録指示を与える
ための記録キー、再生指示を与えるための再生キー、記録や再生の停止指示を与えるため
の停止キーなど、各種操作キーを有するリモコン２１と、装置全体を制御する前記システ
ムコントローラ２２とを備えている。また、この光ディスク装置は、装置の各構成要素を
制御したり、装置全体を制御したりするためのプログラムやデータが記憶されたフラッシ
ュＲＯＭ２３と、このフラッシュＲＯＭ２３のプログラムやデータに従って演算処理を行
いシステムコントローラ２２を制御するＣＰＵ２４と、このＣＰＵ２４の演算処理に必要
なデータを一時的に格納するＲＡＭ２７とを備えている。
【００２８】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２９】
システムコントローラ２２には、本実施形態の特徴とする構成要素として、光ディスク
１を挿入した後にポーズ状態になり、または再生を開始した後にポーズ操作を受けてポー
ズ状態になり、このポーズ状態が所定時間経過したか否かを判定するポーズ状態判定手段
２２１と、前記ポーズ操作によりポーズ状態になったときは、このポーズ状態での光ピッ
クアップ２からのレーザ光が照射される光ディスク１上のアドレスのアドレス情報をフラ
ッシュＲＯＭ２３に格納するアドレス格納手段２２２と、前記ポーズ状態が所定時間経過
したということがポーズ状態判定手段２２１により判定された場合に光ピックアップ２に
対するトラッキングサーボをオフさせるトラッキングサーボオフ手段２２３とを有する。
【００３０】
また、システムコントローラ２２は、前記トラッキングサーボがオフしている場合に、
再生操作による再生命令を受けたときに前記トラッキングサーボをオンさせるトラッキン
グサーボオン手段２２４と、光ディスク１を挿入した後のポーズ状態である場合で、前記
トラッキングサーボオン手段２２３によりトラッキングサーボがオンされた後は、再生操
作により指定されたアドレス情報に基づいて光ピックアップ２をシーク動作させ、また、
再生を開始した後のポーズ状態である場合で、前記トラッキングサーボオン手段２２３に
よりトラッキングサーボがオンされた後は、フラッシュＲＯＭ２３に格納されたアドレス
情報に基づいて光ピックアップ２をシーク動作させるシーク手段２２５と、前記シーク動
作によりシークされたアドレスから再生を開始させる再生開始手段２２６とを有する。
【００３１】
図２は本実施形態の光ディスク装置においてポーズ状態になったときの処理を説明する
ためのフローチャートである。このフローチャートを参照して本実施形態の光ディスク装
置においてポーズ状態になったときの処理について説明する。
【００３２】
この光ディスク装置に光ディスク１を挿入した（ステップＳ１）後、この光ディスク装
置がポーズ状態になり（ステップＳ２）、このポーズ状態が所定時間経過したか否かがシ
ステムコントローラ２２のポーズ状態判定手段２２１により判定される（ステップＳ３）
。ポーズ状態が所定時間経過したことをポーズ状態判定手段２２１により判定されると、
システムコントローラ２２のトラッキングサーボオフ手段２２３は、サーボ制御部４を制
御して光ピックアップ２に対するトラッキングサーボをオフする（ステップＳ４）。
【００３３】
このようにトラッキングサーボがオフすることにより、光ディスク１が書き換え可能な
光ディスクであった場合、光ピックアップ２からのレーザ光が、ディスク偏芯成分も加わ
って、光ディスク１のトラックをランダムに照射することになり、ポーズ時において光ピ
ックアップ２からのレーザ光の重畳パルスにより書き換え可能な光ディスク１の記録層が
破壊されるのを軽減することができる。
【００３４】
そして、トラッキングサーボがオフしている場合、またはポーズ状態が所定時間経過し
ていない場合に、リモコン２１の再生キーや図示しない操作部の再生キーの押下によって
再生命令を受けたときに（ステップＳ５）、システムコントローラ２２のトラッキングサ
ーボオン手段２２４は、サーボ制御部４を制御して光ピックアップ２に対するトラッキン
グサーボをオンする（ステップＳ６）。トラッキングサーボがオンされた後は、システム
コントローラ２２のシーク手段２２５は、サーボ制御部４を制御し、前記再生操作により
指定されたアドレス情報に基づいて光ピックアップ２をシーク動作させ（ステップＳ７）
、再生開始手段２２６は、光ピックアップ２がシークされた光ディスク１上のアドレスか
ら再生を開始させる（ステップＳ８）。
【００３５】
再生が開始された後、リモコン２１などのポーズキーが押下されることにより、ポーズ
操作が有ると（ステップＳ９）、ステップＳ３の処理に戻る。また、リモコン２１などの
ポーズキーが押下されると、システムコントローラ２２のアドレス格納手段２２２は、ポ
ーズ状態になったときの光ピックアップ２からのレーザ光が照射される光ディスク１上の
アドレスのアドレス情報をフラッシュＲＯＭ２３に格納する。
【００３６】
ステップＳ３においては、同様に、前記ポーズ状態が所定時間経過したか否かがシステ
ムコントローラ２２のポーズ状態判定手段２２１により判定される（ステップＳ３）。ポ
ーズ状態が所定時間経過したことをポーズ状態判定手段２２１により判定されると、シス
テムコントローラ２２のトラッキングサーボオフ手段２２３は、サーボ制御部４を制御し
て光ピックアップ２に対するトラッキングサーボをオフする（ステップＳ４）。
【００３７】
そして、トラッキングサーボがオフしている場合、またはポーズ状態が所定時間経過し
ていない場合に、リモコン２１などの再生キーの押下によって再生命令を受けたときに（
ステップＳ５）、システムコントローラ２２のトラッキングサーボオン手段２２４は、サ
ーボ制御部４を制御して光ピックアップ２に対するトラッキングサーボをオンする（ステ
ップＳ６）。トラッキングサーボがオンされた後は、システムコントローラ２２のシーク
手段２２５は、フラッシュＲＯＭ２３に格納されたアドレス情報を読み出し、サーボ制御
部４を制御し、そのアドレス情報に基づいて光ピックアップ２をシーク動作させ（ステッ
プＳ７）、再生開始手段２２６は、光ピックアップ２がシークされた光ディスク１上のア
ドレスから再生を開始させる（ステップＳ８）。ポーズ操作が無くて（ステップＳ９）、
再生が終了した場合（ステップＳ１０）は本処理を終える。
【００３８】
以上説明したように本実施形態によれば、ポーズ状態が所定時間経過したとき、光ピッ
クアップに対するトラッキングサーボをオフさせるので、光ピックアップからのレーザ光
が光ディスク上のトラックをランダムに照射して、光ディスク上のある一定のトラックの
アドレスにレーザ光が照射される頻度が低下し、これにより、ポーズ時において光ピック
アップからのレーザ光の重畳パルスにより書き換え可能な光ディスクの記録層が破壊され
るのを軽減することができる。
【図面の簡単な説明】
【００３９】
【図１】本発明の一実施形態に係る光ディスク装置の構成を示すブロック図である。
【図２】前記実施形態の光ディスク装置においてポーズ状態になったときの処理を説明するためのフローチャートである。
【図３】光ピックアップから出射される重畳パルスを説明するための信号波形図である。
【符号の説明】
【００４０】
１    光ディスク
２    光ピックアップ
２２    システムコントローラ
２２１    ポーズ状態判定手段
２２２    アドレス格納手段
２２３    トラッキングサーボオフ手段
２２４    トラッキングサーボオン手段
２２５    シーク手段
２２６    再生開始手段
【図１】
2006216120.tif 000003
【図２】
2006216120.tif 000004
【図３】
2006216120.tif 000005